(57)【特許請求の範囲】
【請求項１】
本体内に加熱コイルと、加熱コイルを制御する制御基板と、加熱コイルと制御基板を冷却する冷却ファンと、調理庫を有するロースター部と、前記調理庫内の空気を排出する調理庫排気口と、調理庫排気口の後方に備えられ前記調理庫内部の空気を吸込む排気ファンと、排気ファンが吸込んだ空気を排出するための排気ダクトとを備え、本体後部に前記冷却ファンにより外気を吸込む吸気口と、前記冷却ファンにより吸込んだ外気を排出する第一の排気口と、前記排気ダクトから送られてくる空気を本体外部に排出する第二の排気口を備えた加熱調理器において、前記調理庫排気口と排気ファンの間に隙間を設け、前記冷却ファンで前記加熱コイルと制御基板を冷却した後の冷却風の一部を前記排気ファンで前記隙間より排気ダクト内に吸込み、前記調理庫排気口より排出する空気と一緒に前記第二の排気口より本体外部に排出することを特徴とする加熱調理器。
【発明の詳細な説明】
【０００１】
【発明の属する技術分野】
本発明は、ロースターを有する加熱調理器に関するものである。
【０００２】
【従来の技術】
従来のロースターを有する加熱調理器は、本体内に魚等を焼くロースター部と、さらに加熱コイルによって発生する磁束により、トッププレートの上に置いた鉄製の鍋等の被加熱物に渦電流を発生させ、被加熱物を加熱する誘導加熱手段や、ラジエントヒータの輻射線により、トッププレートの上に置いた被加熱物を加熱するヒータ加熱手段などを組み合わせたものが主流である。電気をエネルギー源とするこの種の調理器は、ガスなどの燃焼系の調理器に比べて被加熱物以外への放熱が少なく、熱効率が良好で、安全性も高いので普及が進みつつある。
【０００３】
この従来例を、図１、図５を用いて説明する。図１は従来例の加熱調理器の組込後の外観斜視図で調理台に組み込んだ状態を示し、図５は従来例の加熱調理器の内部平面図である。
【０００４】
図において、本体１の上面に被加熱物（図示せず）を載置するトッププレート２を備え、このトッププレート２部に二つの誘導加熱部３と一つのヒータ加熱部５を備えている。トッププレート２の下方に二つの加熱コイル４及び制御基板１０と、これらを冷却する冷却ファン１２と、加熱ヒータ６と、調理庫８を有するロースター部７を備え、調理庫８内にはロースター用ヒータ９を備えている。
【０００５】
本体１後部右側に上方に向けて開口された吸気口１１を備え、本体１内の吸気口１１近傍に冷却ファン１２を備え、本体１後部左側に上方に向けて開口された二箇所の排気口１３を備えている。
【０００６】
そして、本体１内部で調理庫８の後方に調理庫８後部の調理庫排気口１５から排気口１４に至る風路を形成する排気ダクト１７を備え、排気ダクト１７内に排気ファン１６を備えている。
【０００７】
以上の構成において、動作を説明する。尚、図５において、矢印は空気の流れを示している。
【０００８】
使用者が被加熱物（図示せず）をロースター部７の調理庫８内に入れ、火力等を設定して調理を開始すると、制御基板１０は制御信号をロースター用ヒータ９に送り、この信号によりロースター用ヒータ９が通電され、被加熱物（図示せず）を加熱する。
【０００９】
同時に、トッププレート２上の誘導加熱部３の一つに他の被加熱物（図示せず）を載置して、火力等を設定して調理を開始する。すると、制御基板１０は制御信号を前記誘導加熱部３の下方の加熱コイル４を駆動して、上方に載置された被加熱物（図示せず）を加熱する。
【００１０】
調理が開始されると、制御基板１０は上記に加え、排気ファン１６、冷却ファン１２にも制御信号を出力する。この制御信号により、排気ファン１６は駆動され、調理庫排気口１５から空気を吸い込み、後方の排気ダクト１７へ送風を行う。排気ダクト１７に送風された空気は、第二の排気口１４を通り本体１外へ排出される。
【００１１】
さらに、同じく制御基板１０の制御信号により駆動された冷却ファン１２は吸気口１１から外気を吸込み、前方の制御基板１０へ送風を行う。この冷却風は制御基板１０を冷却した後、本体１内部を流れて二つの加熱コイル４等を冷却し、第一の排気口１３を通り本体１外へ排出される。
【００１２】
調理中は上記のように冷却および排気動作が行われ、調理が終了すると、制御基板１０は制御信号の出力を停止し、ロースター用ヒータ９、排気ファン１６、冷却ファン１２および加熱コイル４等の運転を停止させる。
【００１３】
ところで、加熱コイル４や制御基板１０に搭載された電子部品等は冷却ファン１２により冷却されるが、上記のように、ロースター加熱と誘導加熱の同時加熱などの時に、調理庫８から発生する熱により近傍の加熱コイル４や制御基板１０に搭載された電子部品等がかなり温度上昇するので、これらを冷却するために本体１内部に複雑な風路を形成したり、温度定格の高い高価な電子部品等を使用する等の必要があった。
【００１４】
上記の類似例として特開２００１−２０８３５９号公報、特開２００１−１９６１５３号公報などがある。
【００１５】
【発明が解決しようとする課題】
前述したように、従来の加熱調理器においては、ロースター加熱と誘導加熱の同時加熱などの時に、調理庫８から発生する熱により近傍の加熱コイル４や制御基板１０に搭載された電子部品等の温度上昇が大きくなり、これらを冷却するために本体１内部に複雑な風路を形成する等の必要があった。
【００１６】
本発明は、前記課題を解決するものであり、単純な構成で調理庫近傍の加熱コイルや制御基板に搭載された電子部品等の冷却効率を向上するものである。
【００１７】
【課題を解決するための手段】
本発明は、上述の課題を解決するために、本体内に加熱コイルと、加熱コイルを制御する制御基板と、加熱コイルと制御基板を冷却する冷却ファンと、調理庫を有するロースター部と、前記調理庫内の空気を排出する調理庫排気口と、調理庫排気口の後方に備えられ前記調理庫内部の空気を吸込む排気ファンと、排気ファンが吸込んだ空気を排出するための排気ダクトとを備え、本体後部に前記冷却ファンにより外気を吸込む吸気口と、前記冷却ファンにより吸込んだ外気を排出する第一の排気口と、前記排気ダクトから送られてくる空気を本体外部に排出する第二の排気口を備えた加熱調理器において、前記調理庫排気口と排気ファンの間に隙間を設け、前記冷却ファンで前記加熱コイルと制御基板を冷却した後の冷却風の一部を前記排気ファンで前記隙間より排気ダクト内に吸込み、前記調理庫排気口より排出する空気と一緒に前記第二の排気口より本体外部に排出するものである。
【００１８】
【発明の実施の形態】
本発明は、本体内に加熱コイルと、調理庫を有するロースター部と、この調理庫に連通する排気ダクトを備え、本体後部に加熱コイルに連通する排気口と、排気ダクトに連通する排気口を備え、前記調理庫の後部に調理庫排気口を配し、この調理庫排気口の後方に排気ファンを備えた加熱調理器において、前記排気ファンは調理庫内部及び周囲の空気を吸込むように構成したものである。
【００１９】
【実施例】
以下、本発明の一実施例を図面に従って説明する。
【００２０】
図１は本発明の加熱調理器の組込後の外観斜視図で調理台に組み込んだ状態を示している。図２は本発明の加熱調理器の内部平面図で、図３は本発明の加熱調理器の側面断面図である。図４（ａ）は本発明の加熱調理器の排気ファンと調理庫排気口の関係の一例を示す図、同（ｂ）は同じく排気ファンと調理庫排気口の関係の他の一例を示す図である。
【００２１】
図において、１は加熱調理器の本体である。２は鉄製の鍋等の被加熱物（図示せず）を載置するトッププレートで、本体１の上面に水平に設けられている。
【００２２】
３は誘導加熱部で、左右に二つ有り、トッププレート２上に載置される被加熱物（図示せず）を誘導加熱する部位である。これらの真下に対応して本体１内に誘導加熱時に高周波電流が流れて被加熱物（図示せず）を加熱する磁束を発生する加熱コイル４を備えている。
【００２３】
５はヒータ加熱部で中央後部に有り、トッププレート２上に載置される加熱物（図示せず）をヒータ加熱する部位である。この真下に対応して本体１内にヒータ加熱時に輻射線を発生して被加熱物（図示せず）を加熱する加熱ヒータ６を備えている。
【００２４】
７は本体１内に備えられた調理庫８を有するロースター部である。９はロースター用ヒータで、調理庫８内の上部に配され、通電されて輻射線を発生し調理庫８内に入れられた魚等を焼くものである。ロースター部７の前面は開口されており、この開口部前方に扉部を設け、扉部の開閉によって調理庫８内に被加熱物を出し入れする。
【００２５】
１０は制御基板で、トッププレート２の下方に設けられ、複数の加熱コイル４やロースター用ヒータ９等を主に制御する電子部品等を搭載した回路基板である。
【００２６】
１１は吸気口で、本体１後部に上方へ向けて開口された開口部である。１２は冷却ファンで、本体１内の吸気口１１近傍にあり、複数の加熱コイル４、及び制御基板１０に搭載された電子部品等を冷却するものである。
【００２７】
１３は加熱コイル４に連通し、冷却ファン１２による冷却風を本体１外に排出する第一の排気口で、本体１後部に上方へ向けて開口された開口部である。
【００２８】
１４は後記排気ダクト１７に連通し、主に調理庫８内の空気を本体１外に排出する第二の排気口で、本体１後部に上方へ向けて開口された開口部である。本実施例では、第一の排気口１３は第二の排気口１４を挟んで二箇所に分離されて配されている。
【００２９】
１５は調理庫排気口で、調理庫８の後部に配され、調理庫８内部の空気が排出される開口部である。
【００３０】
１６は排気ファンで、調理庫排気口１５の後方に備えられ、調理庫８内部及び周囲の空気を吸込むように構成する。具体的には図４（ａ）に示すように、排気ファン１６の吸込み部の開口面積Ｓ２を調理庫排気口１５の開口面積Ｓ１より大きく形成する。若しくは、同図（ｂ）に示すように、排気ファン１６を調理庫排気口１５と隙間ｇを設けて配置する等の構成とする。
【００３１】
１７は排気ダクトで、本体１内に備えられ、第二の排気口１４と排気ファン１６と調理庫８とに連通して、調理庫８から調理庫排気口１５、排気ファン１６を経由し、第二の排気口１４に至る排気風路を形成する。
【００３２】
以上の構成において、その動作を説明する。尚、図２、図３において、矢印は空気の流れを示している。
【００３３】
使用者が被加熱物（図示せず）をロースター部７の調理庫８内に入れ、火力等を設定して調理を開始すると、制御基板１０は制御信号をロースター用ヒータ９に送り、この信号によりロースター用ヒータ９が通電され、被加熱物（図示せず）を加熱する。
【００３４】
同時に、トッププレート２上の誘導加熱部３の一つに他の被加熱物（図示せず）を載置して、火力等を設定して調理を開始する。すると、制御基板１０は制御信号を前記誘導加熱部３の下方の加熱コイル４を駆動して、上方に載置された被加熱物（図示せず）を加熱する。
【００３５】
調理が開始されると、制御基板１０は上記に加え、排気ファン１６、冷却ファン１２にも制御信号を出力する。この制御信号により、排気ファン１６は駆動され、調理庫排気口１５から調理庫８内部の空気を吸い込み、後方の排気ダクト１７へ送風を行う。排気ダクト１７に送風された空気は、第二の排気口１４を通り本体１外へ排出される。
【００３６】
さらに、同じく制御基板１０の制御信号により駆動された冷却ファン１２は吸気口１１から外気を吸込み、前方の制御基板１０へ送風を行う。この冷却風は制御基板１０を冷却した後、本体１内部を流れて二つの加熱コイル４等を冷却し、第一の排気口１３を通り本体１外へ排出される。
【００３７】
ところで、排気ファン１６は、吸込み部の開口面積Ｓ２が調理庫排気口１５の開口面積Ｓ１より大きく形成されるか、若しくは調理庫排気口１５と隙間ｇを設けて配されているので、調理庫８内部及び周囲の空気を吸込む。つまり、排気ファン１６によって調理庫８内部の空気だけでなく、冷却ファン１２による冷却風の一部を排気ダクト１７内に吸込み、第二の排気口１４をから本体１外へ排出する。
【００３８】
これによって、冷却ファン１２による冷却能力が高められ、加熱コイル４や制御基板１０に搭載された電子部品等がより冷却されるので、従来、ロースター加熱と誘導加熱の同時加熱などの時に、調理庫８から発生する熱により近傍の加熱コイル４や制御基板１０に搭載された電子部品等の温度上昇が大きくなり、これらを冷却するために本体１内部に複雑な風路を形成する等の必要があったが、簡単な風路構造で済むという効果が得られる。
【００３９】
調理中は上記のように冷却および排気動作が行われ、調理が終了すると、制御基板１０は制御信号の出力を停止し、ロースター用ヒータ９、排気ファン１６、冷却ファン１２および加熱コイル４等の運転を停止させる。
【００４０】
【発明の効果】
以上述べたように、本発明の誘導加熱調理器によれば、本体内に加熱コイルと、調理庫を有するロースター部と、この調理庫に連通する排気ダクトを備え、本体後部に加熱コイルに連通する排気口と、排気ダクトに連通する排気口を備え、前記調理庫の後部に調理庫排気口を配し、この調理庫排気口の後方に排気ファンを備えた加熱調理器において、前記排気ファンは調理庫内部及び周囲の空気を吸込むように構成したので、単純な構成で調理庫近傍の加熱コイルや制御基板に搭載された電子部品等の冷却効率を向上できる。
【００４１】
つまり、従来、ロースター加熱と誘導加熱の同時加熱などの時に、調理庫から発生する熱により近傍の加熱コイルや制御基板に搭載された電子部品等の温度上昇が大きくなり、これらを冷却するために本体内部に複雑な風路を形成する等の必要があったが、排気ファンをロースター部の調理庫の排気と同時に加熱コイル等の冷却能力向上を兼ね備える前記のような単純な構成とすることにより、加熱コイル等の冷却風路を簡単な構造にできるものである。
【００４２】
具体的構成例として、排気ファンの吸込み部の開口面積が調理庫排気口の開口面積より大きく形成すれば、調理庫排気口と排気ファンとを密着した構造にできるので、周辺の前後方向の寸法に余裕を持たせることができる。
【００４３】
他の具体的構成例として、排気ファンを調理庫排気口と隙間を設けて配置すれば、排気ファンの吸込み部の開口面積は調理庫排気口の開口面積に依存する必要がなくなるので、排気ファンの大きさを自由に選択することができる。
【００４４】
また、本体内部の冷却風路を簡単な構造にできるので、開発が容易となり、製品開発工程の短縮ができるものである。また、制御基板に搭載された電子部品等の温度上昇を低減できることにより、温度定格の低い廉価な電子部品等を使用でき、製品のコストダウンを計ることができる。
【図面の簡単な説明】
【図１】本発明および従来例の加熱調理器の組込後の外観斜視図である。
【図２】本発明の加熱調理器の内部平面図である。
【図３】本発明の加熱調理器の側面断面図である。
【図４】（ａ）は本発明の加熱調理器の排気ファンと調理庫排気口の関係の一例を示す図、同（ｂ）は同じく排気ファンと調理庫排気口の関係の他の一例を示す図である。
【図５】従来例の加熱調理器の内部平面図である。
【符号の説明】
１  本体
４  加熱コイル
７  ロースター部
８  調理庫
９  ロースター用ヒータ
１３、１４  排気口
１５  調理庫排気口
１６  排気ファン
１７  排気ダクト
【図１】
0003914740.tif 000002
【図２】
0003914740.tif 000003
【図３】
0003914740.tif 000004
【図４】
0003914740.tif 000005
【図５】
0003914740.tif 000006